(57)【要約】【課題】本発明は、データ化けやＣＲＣエラー、データ欠落等の問題を防ぎ、電力の消費を最小限に抑えることができると共に、パフォーマンスの低下を防ぐことができる。【解決手段】本発明の光ディスク記録再生装置は、低消費電力モードを設定する低消費電力モード設定手段と、パケットインターフェースのコントローラのクロックを制御する制御手段と、データを転送するデータ転送手段とを有している。更に、低消費電力モード設定手段により低消費電力モードに設定された際、ホスト装置からデータ転送を伴うコマンドを受けた場合、制御手段はパケットインターフェースのコントローラのクロックを上げ、そしてデータ転送手段によりデータを転送する。【選択図】        図２
2004295264.tif 000002
【特許請求の範囲】
【請求項１】
光ディスクにデータを記録し、又は光ディスクからデータを再生する光ディスク記録再生装置において、
低消費電力モードを設定する低消費電力モード設定手段と、
パケットインターフェースのコントローラのクロックを制御する制御手段と、
データを転送するデータ転送手段と
を有し、
前記低消費電力モード設定手段により低消費電力モードに設定され、前記ホスト装置からデータ転送を伴うコマンドを受けた場合、前記制御手段により前記パケットインターフェースのコントローラのクロックを上げて前記データ転送手段によりデータを転送することを特徴とした光ディスク記録再生装置。
【請求項２】
前記データ転送手段によりデータを転送し終えた後、前記制御手段は前記パケットインターフェースのコントローラのクロックを落とす請求項１記載の光ディスク記録再生装置。
【請求項３】
前記データ転送手段によりデータを転送し終えた後、かつ前記データ転送手段により一定時間データ転送が行われなかった場合、前記制御手段は前記パケットインターフェースのコントローラのクロックを落とす請求項１記載の光ディスク記録再生装置。
【請求項４】
光ディスクにデータを記録し、又は光ディスクからデータを再生する光ディスク記録再生装置の制御方法において、
低消費電力モードに設定され、ホスト装置からデータ転送を伴うコマンドを受けた場合、パケットインターフェースのコントローラのクロックを上げてデータを転送することを特徴とした光ディスク記録再生装置の制御方法。
【請求項５】
データを転送し終えた後、前記パケットインターフェースのコントローラのクロックを落とす請求項４記載の光ディスク記録再生装置の制御方法。
【請求項６】
データを転送し終えた後、かつ一定時間データ転送が行われなかった場合、前記パケットインターフェースのコントローラのクロックを落とす請求項４記載の光ディスク記録再生装置の制御方法。
【請求項７】
請求項４〜６のいずれかに記載の光ディスク記録再生装置の動制御方法を実行するためのプログラムを格納したコンピュータ読み取り可能な記録媒体。
【発明の詳細な説明】
【０００１】
【発明の属する技術分野】
本発明は光ディスク記録再生装置及びその方法並びに該方法を実行するためのプログラムを格納したコンピュータ読み取り可能な記録媒体に関し、詳細にはデータが記録されている記録媒体からデータの読み再生を行うことが可能である情報記録再生装置に関する。
【０００２】
【従来の技術】
【特許文献１】特開平７−１５３１８２号公報
近年、光ディスクなどの記録媒体からデータの再生が可能であるオプティカルドライブ装置は、高速化の一途をたどっている。そのために、記録媒体からの読み出し速度の高速化とともに、データ転送を行うインターフェースにおいても高速化がなされており、例えばＡＴＡＰＩ（Ａｔｔａｃｈｍｅｎｔ  Ｐａｃｈｅｔ  Ｉｎｔｅｒｆａｃｅ）においてはＵｌｔｒａ  ＤＭＡ転送と呼ばれる転送方法が一般的となってきている。また、バッテリで駆動可能なノート型ＰＣが普及しており、それに伴いオプティカルドライブ装置の低消費電力化が重要視され、従来よりいくつかの提案がなされている。その一つとして上記特許文献１によれば、待機モードの支持が出されたときにはモータ系、ヘッド制御系、符号化復号化系の各回路をオフして低消費電力化を実現している。また、一定時間ディスクにアクセスがない場合、あるいは、ディスクが挿入されていない場合などには低消費電力モードに移行するといった機能を有するオプティカルドライブ装置が一般的になってきている。低消費電力モードに移行した場合、オプティカルドライブ装置はＣＰＵやＡＴＡＰＩコントローラ等の動作クロックを落とすことにより、消費電力を最小限に抑えている。
【０００３】
【発明が解決しようとする課題】
しかしながら、上記特許文献１でも同様に、光ディスク装置におけるＵｌｔｒａ  ＤＭＡ転送のクロックは、そのＡＴＡＰＩコントローラのクロックから生成されているため、低消費電力モード時には十分な転送能力が得られず、ホストコンピュータの転送モードと一致しなくなってしまう。よって、データ転送時にデータ化けやＣＲＣエラー、データ欠落等の問題が生じてしまう。
【０００４】
本発明はこれらの問題点を解決するためのものであり、データ化けやＣＲＣエラー、データ欠落等の問題を防ぎ、電力の消費を最小限に抑えることができると共に、パフォーマンスの低下を防ぐことができる、光ディスク記録再生装置及びその制御方法並びに該方法を実行するためのプログラムを格納したコンピュータ読み取り可能な記録媒体を提供することを目的とする。
【０００５】
【課題を解決するための手段】
前記問題点を解決するために、本発明の光ディスク記録再生装置は、低消費電力モードを設定する低消費電力モード設定手段と、パケットインターフェースのコントローラのクロックを制御する制御手段と、データを転送するデータ転送手段とを有している。そして、低消費電力モード設定手段により低消費電力モードに設定された際、ホスト装置からデータ転送を伴うコマンドを受けた場合、制御手段はパケットインターフェースのコントローラのクロックを上げる。よって、電力の消費を最小限に抑えることができ、かつデータ化けやＣＲＣエラー、データ欠落等の問題を防ぐことができる。
【０００６】
また、データ転送手段によりデータを転送し終えた後、制御手段はパケットインターフェースのコントローラのクロックを落とすことにより、電力の消費を最小限に抑えることができる。
【０００７】
更に、データ転送手段によりデータを転送し終えた後、かつデータ転送手段により一定時間データ転送が行われなかった場合、制御手段はパケットインターフェースのコントローラのクロックを落とすことにより、パフォーマンスの低下を防ぐことができる。
【０００８】
また、別の発明としての光ディスク記録再生装置の制御方法によれば、低消費電力モードに設定され、ホスト装置からデータ転送を伴うコマンドを受けた場合、パケットインターフェースのコントローラのクロックを上げてデータを転送する。よって、データ化けやＣＲＣエラー、データ欠落等の問題を防ぐことができる。
【０００９】
更に、データを転送し終えた後、パケットインターフェースのコントローラのクロックを落とすので、電力の消費を最小限に抑えることができる。
【００１０】
また、データを転送し終えた後、かつ一定時間データ転送が行われなかった場合、パケットインターフェースのコントローラのクロックを落とすことにより、パフォーマンスの低下を防ぐことができる。
【００１１】
更に、上記記載の光ディスク記録再生装置の動制御方法を実行するためのプログラムを格納したコンピュータ読み取り可能な記録媒体に特徴がある。よって、既存の端末装置を変えることなく、制御システムを汎用的に構築することができる。
【００１２】
【発明の実施の形態】
本発明の光ディスク記録再生装置の制御方法では、低消費電力モードに設定され、ホスト装置からデータ転送を伴うコマンドを受けた場合、パケットインターフェースのコントローラのクロックを上げてデータを転送する。
【００１３】
【実施例】
図１は本発明の一実施例に係る光ディスク記録再生装置の構成を示すブロック図である。同図において、本実施例の光ディスク記録再生装置１０は、モータ１１、回転制御部１２、ピックアップ１３、アクチュエータ制御部１４、信号制御部１５、ドライブコントローラ１６、バッファメモリ１７、レーザ駆動回路１８、ＡＴＡＰＩコントローラ１９、ホストコンピュータ２０を含んで構成されている。このような構成を有する本実施例の光ディスク記録再生装置１０によれば、モータ１１は、光ディスク３０を回転駆動させ、回転制御部１２により線速度または角速度が一定になるように制御される。この線速度または角速度は段階的に変更が可能である。ピックアップ１３は、レーザ駆動回路１８によって光ディスク３０にレーザ光を照射し、データを読み取る機能を持ち、アクチェータ制御部１４によりレーザスポットが目的の場所に位置するよう制御される。ピックアップ１３で得られた再生データは、信号制御部１５で制御される。この再生データをそのままバッファメモリ１７に蓄えるか、データの伸長処理等を行ってからバッファメモリ１７に蓄えるかは、ドライブコントローラ１６によって制御される。ドライブコントローラ１６は、光ディスク記録再生装置１０の全体の制御を行う。また、ＡＴＡＰＩコントローラ１９を通じてコマンドを受信したり、バッファメモリ１７に蓄えられたデータをホストコンピュータ２０へ送信したりする。なお、外部インターフェースには、ＡＴＡＰＩ、ＳＣＳＩ、ＵＳＢ、ＩＥＥＥ１３９４などがある。
【００１４】
次に、本実施例の光ディスク記録再生装置の動作処理について当該動作処理フローを示す図２に従って説明する。
先ず、図１のホストコンピュータ２０からデータ転送を伴うコマンドを受信したとき（ステップＳ１０１；ＹＥＳ）、図１の光ディスク記録再生装置１０が低消費電力モードであるか否かを判断する（ステップＳ１０２）。低消費電力モードである場合には（ステップＳ１０２；ＹＥＳ）、図１のＡＴＡＰＩコントローラ１９のクロックも落ちている。このままだと、データ化け等の問題が生じてしまうため、ＡＴＡＰＩコントローラ１９のクロックを上げ（ステップＳ１０３）、コマンドの処理を行ってデータ転送処理を行う（ステップＳ１０４）。よって、電力の消費を最小限に抑えることができると共に、データ化けやＣＲＣエラー、データ欠落等の問題を防ぐことができる。
【００１５】
次に、本実施例の光ディスク記録再生装置の別の動作処理について当該動作処理のフローを示す図３に従って説明する。
先ず、図１のホストコンピュータ２０からデータ転送を伴うコマンドを受信したとき（ステップＳ２０１；ＹＥＳ）、図１の光ディスク記録再生装置１０が低消費電力モードであるか否かを判断する（ステップＳ２０２）。低消費電力モードである場合には（ステップＳ２０２；ＹＥＳ）、図１のＡＴＡＰＩコントローラ１９のクロックも落ちている。このままだと、データ化け等の問題が生じてしまうため、ＡＴＡＰＩコントローラ１９のクロックを上げ（ステップＳ２０３）、コマンドの処理を行ってデータ転送処理を行う（ステップＳ２０４）。次に、図１のホストコンピュータ２０へのデータ転送処理終了後（ステップＳ２０５；ＹＥＳ）、この時再度図１の光ディスク記録再生装置１０が低消費電力モードであるか否かを判断し（ステップＳ２０６）、低消費電力モードである場合には（ステップＳ２０６；ＹＥＳ）、図１のＡＴＡＰＩコントローラ１９のクロックを落とす（ステップＳ２０７）。このように、コマンド処理終了後、直ぐにＡＴＡＰＩコントローラ１９のクロックを落とすことにより、電力の消費を最小限に抑えることができる。
【００１６】
次に、本実施例の光ディスク記録再生装置の更に別の動作処理について当該動作処理のフローを示す図４に従って説明する。
先ず、図１のホストコンピュータ２０からデータ転送を伴うコマンドを受信したとき（ステップＳ３０１；ＹＥＳ）、図１の光ディスク記録再生装置１０が低消費電力モードであるか否かを判断する（ステップＳ３０２）。低消費電力モードである場合には（ステップＳ３０２；ＹＥＳ）、図１のＡＴＡＰＩコントローラ１９のクロックも落ちている。このままだと、データ化け等の問題が生じてしまうため、ＡＴＡＰＩコントローラ１９のクロックを上げ（ステップＳ３０３）、コマンドの処理を行ってデータ転送処理を行う（ステップＳ３０４）。次に、図１のホストコンピュータ２１へのデータ転送処理終了後（ステップＳ３０５；ＹＥＳ）、この時再度図１の光ディスク記録再生装置１０が低消費電力モードであるか否かを判断し（ステップＳ３０６）、低消費電力モードである場合には（ステップＳ３０６；ＹＥＳ）、図示していないタイマを起動させる（ステップＳ３０７）。その後、ホストコンピュータ２０からデータ転送を伴うコマンドを受信した場合には（ステップＳ３０８；ＹＥＳ）、タイマを停止しコマンドの処理を行うことによりパフォーマンスを落とすことなく処理を行うことができる。タイマ起動後、ホストコンピュータ２０からデータ転送を伴うコマンドを受信せずに（ステップＳ３０８；ＮＯ）一定時間経過したか否かを判断する（ステップＳ３０９）。一定時間経過した場合には（ステップＳ３０９；ＹＥＳ）、図１のＡＴＡＰＩコントローラ２０のクロックを落とすことにより（ステップＳ３１０）、電力の消費を抑えることができる。
【００１７】
次に、図５は本発明の光ディスク記録再生装置の制御方法を実行するプログラムを起動するための具体的な装置の構成を示すブロック図である。つまり、同図は上記実施例における制御方法によるソフトウェアを実行するマイクロプロセッサ等から構築されるハードウェアを示すものである。同図において、ネットワーク送信システムはインターフェース（以下Ｉ／Ｆと略す）５１、ＣＰＵ５２、ＲＯＭ５３、ＲＡＭ５４、表示装置５５、ハードディスク５６、キーボード５７及びＣＤ−ＲＯＭドライブ５８を含んで構成されている。また、汎用の端末装置を用意し、ＣＤ−ＲＯＭ５９などの読取可能な記憶媒体には、本発明の光ディスク記録再生装置の制御方法を実行するプログラムが記憶されている。更に、Ｉ／Ｆ５１を介して外部装置から制御信号が入力され、キーボード５７によって操作者による指令又は自動的に本発明のプログラムが起動される。そして、ＣＰＵ５２は当該プログラムに従って上述の光ディスク記録再生装置の制御方法に伴う制御処理を施し、その処理結果をＲＡＭ５４やハードディスク５６等の記憶装置に格納し、必要により表示装置５５などに出力する。以上のように、本発明の光ディスク記録再生装置の制御方法を実行するプログラムが記憶した媒体を用いることにより、既存の端末装置を変えることなく、制御システムを汎用的に構築することができる。
【００１８】
なお、本発明は上記実施例に限定されるものではなく、特許請求の範囲内の記載であれば多種の変形や置換可能であることは言うまでもない。
【００１９】
【発明の効果】
以上説明したように、本発明の光ディスク記録再生装置は、低消費電力モードを設定する低消費電力モード設定手段と、パケットインターフェースのコントローラのクロックを制御する制御手段と、データを転送するデータ転送手段とを有している。そして、低消費電力モード設定手段により低消費電力モードに設定された際、ホスト装置からデータ転送を伴うコマンドを受けた場合、制御手段はパケットインターフェースのコントローラのクロックを上げる。よって、電力の消費を最小限に抑えることができ、かつデータ化けやＣＲＣエラー、データ欠落等の問題を防ぐことができる。
【００２０】
また、データ転送手段によりデータを転送し終えた後、制御手段はパケットインターフェースのコントローラのクロックを落とすことにより、電力の消費を最小限に抑えることができる。
【００２１】
更に、データ転送手段によりデータを転送し終えた後、かつデータ転送手段により一定時間データ転送が行われなかった場合、制御手段はパケットインターフェースのコントローラのクロックを落とすことにより、パフォーマンスの低下を防ぐことができる。
【００２２】
また、別の発明としての光ディスク記録再生装置の制御方法によれば、低消費電力モードに設定され、ホスト装置からデータ転送を伴うコマンドを受けた場合、パケットインターフェースのコントローラのクロックを上げてデータを転送する。よって、データ化けやＣＲＣエラー、データ欠落等の問題を防ぐことができる。
【００２３】
更に、データを転送し終えた後、パケットインターフェースのコントローラのクロックを落とすので、電力の消費を最小限に抑えることができる。
【００２４】
また、データを転送し終えた後、かつ一定時間データ転送が行われなかった場合、パケットインターフェースのコントローラのクロックを落とすことにより、パフォーマンスの低下を防ぐことができる。
【００２５】
更に、上記記載の光ディスク記録再生装置の動制御方法を実行するためのプログラムを格納したコンピュータ読み取り可能な記録媒体に特徴がある。よって、既存の端末装置を変えることなく、制御システムを汎用的に構築することができる。
【図面の簡単な説明】
【図１】本発明の一実施例に係る光ディスク記録再生装置の構成を示すブロック図である。
【図２】本実施例の光ディスク記録再生装置の動作処理を示すフローチャートである。
【図３】本実施例の光ディスク記録再生装置の別の動作処理を示すフローチャートである。
【図４】本実施例の光ディスク記録再生装置の更に別の動作処理を示すフローチャートである。
【図５】本発明の光ディスク記録再生装置の制御方法を実行するプログラムを起動するための具体的な装置の構成を示すブロック図である。
【符号の説明】
１０；光ディスク記録再生装置、１１；モータ、１２；回転制御部、
１３；ピックアップ、１４；アクチュエータ制御部、１５；信号制御部、
１６；ドライブコントローラ、１７；バッファメモリ、
１８；レーザ駆動回路、１９；ＡＴＡＰＩコントローラ、
２０；ホストコンピュータ、３０；光ディスク。
【図１】
2004295264.tif 000003
【図２】
2004295264.tif 000004
【図３】
2004295264.tif 000005
【図４】
2004295264.tif 000006
【図５】
2004295264.tif 000007